(57)【特許請求の範囲】
【請求項１】
皮膚伝導信号内のノイズの多い領域を識別する方法であって、
前記信号を複数のウィンドウに分割することと、
第１のウィンドウ内の前記信号の２つ以上の特徴を計算することと、前記２つ以上の特徴のうちの少なくとも１つは周波数領域内にあり、前記信号の前記２つ以上の特徴が、正規化された範囲、正規化された最大値もしくは最小値、平均交差の数、低周波数エネルギーの量、または高周波数エネルギーの量のうちの少なくとも２つを備え、
少なくとも第１の基準値を取得するために、前記第１のウィンドウ内の前記信号の前記２つ以上の特徴のうちの少なくとも２つを結合することと、
前記第１の基準値を対応するしきい値と比較することと、
前記比較に少なくとも部分的に基づいて、前記皮膚伝導信号のノイズの多い領域として前記第１のウィンドウを識別することと
を備え、
前記第１のウィンドウ内の前記信号の２つ以上の特徴を計算することが、
前記第１のウィンドウ内の低周波数エネルギーの量と高周波数エネルギーの量とを計算すること
を備え、
少なくとも前記第１の基準値を取得するために前記特徴のうちの前記少なくとも２つを結合することが、前記高周波数エネルギーの量に対する前記低周波数エネルギーの量の比を形成することを備える、方法。
【請求項２】
皮膚伝導信号内のノイズの多い領域を識別する方法であって、
前記信号を複数のウィンドウに分割することと、
第１のウィンドウ内の前記信号の２つ以上の特徴を計算することと、前記２つ以上の特徴のうちの少なくとも１つは周波数領域内にあり、前記信号の前記２つ以上の特徴が、正規化された範囲、正規化された最大値もしくは最小値、平均交差の数、低周波数エネルギーの量、または高周波数エネルギーの量のうちの少なくとも２つを備え、
少なくとも第１の基準値を取得するために、前記第１のウィンドウ内の前記信号の前記２つ以上の特徴のうちの少なくとも２つを結合することと、
前記第１の基準値を対応するしきい値と比較することと、
前記比較に少なくとも部分的に基づいて、前記皮膚伝導信号のノイズの多い領域として前記第１のウィンドウを識別することと
を備え、
前記皮膚伝導信号から皮膚伝導反応（ＳＣＲ）を検出することと、
前記ＳＣＲを検出する間、前記皮膚伝導信号の前記識別されたノイズの多い領域を無視することと
をさらに備える、方法。
【請求項３】
皮膚伝導信号内のノイズの多い領域を識別する方法であって、
前記信号を複数のウィンドウに分割することと、
第１のウィンドウ内の前記信号の２つ以上の特徴を計算することと、前記２つ以上の特徴のうちの少なくとも１つは周波数領域内にあり、前記信号の前記２つ以上の特徴が、正規化された範囲、正規化された最大値もしくは最小値、平均交差の数、低周波数エネルギーの量、または高周波数エネルギーの量のうちの少なくとも２つを備え、
少なくとも第１の基準値を取得するために、前記第１のウィンドウ内の前記信号の前記２つ以上の特徴のうちの少なくとも２つを結合することと、
前記第１の基準値を対応するしきい値と比較することと、
前記比較に少なくとも部分的に基づいて、前記皮膚伝導信号のノイズの多い領域として前記第１のウィンドウを識別することと
を備え、
各ウィンドウが前記皮膚伝導信号の複数の離散的なサンプルを備え、
前記皮膚伝導信号の前記複数のサンプルのうちの少なくとも１つが、第２のウィンドウが前記第１のウィンドウと重複するように、前記第１のウィンドウと前記第２のウィンドウの両方に含まれる、方法。
【請求項４】
前記２つ以上の特徴のうちの少なくとも１つが時間領域内にある、請求項１に記載の方法。
【請求項５】
少なくとも第１の基準値を取得するために前記特徴のうちの少なくとも２つを結合することが、
前記周波数領域内の第１の特徴を前記周波数領域内の第２の特徴と結合すること
を備える、請求項１に記載の方法。
【請求項６】
皮膚伝導信号内のノイズの多い領域を識別する方法であって、
前記信号を複数のウィンドウに分割することと、
第１のウィンドウ内の前記信号の２つ以上の特徴を計算することと、前記２つ以上の特徴のうちの少なくとも１つは周波数領域内にあり、前記信号の前記２つ以上の特徴が、正規化された範囲、正規化された最大値もしくは最小値、平均交差の数、低周波数エネルギーの量、または高周波数エネルギーの量のうちの少なくとも２つを備え、
少なくとも第１の基準値を取得するために、前記第１のウィンドウ内の前記信号の前記２つ以上の特徴のうちの少なくとも２つを結合することと、
前記第１の基準値を対応するしきい値と比較することと、
前記比較に少なくとも部分的に基づいて、前記皮膚伝導信号のノイズの多い領域として前記第１のウィンドウを識別することと
を備え、
トレーニングデータから前記第１の基準値用の前記対応するしきい値を識別すること
をさらに備える、方法。
【請求項７】
前記トレーニングデータが前記皮膚伝導信号から取得される、請求項６に記載の方法。
【請求項８】
皮膚伝導信号内のノイズの多い領域を識別する方法であって、
前記信号を複数のウィンドウに分割することと、
第１のウィンドウ内の前記信号の２つ以上の特徴を計算することと、前記２つ以上の特徴のうちの少なくとも１つは周波数領域内にあり、前記信号の前記２つ以上の特徴が、正規化された範囲、正規化された最大値もしくは最小値、平均交差の数、低周波数エネルギーの量、または高周波数エネルギーの量のうちの少なくとも２つを備え、
少なくとも第１の基準値を取得するために、前記第１のウィンドウ内の前記信号の前記２つ以上の特徴のうちの少なくとも２つを結合することと、
前記第１の基準値を対応するしきい値と比較することと、
前記比較に少なくとも部分的に基づいて、前記皮膚伝導信号のノイズの多い領域として前記第１のウィンドウを識別することと
を備え、
前記特徴のうちの少なくとも１つの値を対応する少なくとも１つの追加のしきい値と比較することと、
前記比較の組合せに基づいて、前記皮膚伝導信号のノイズの多い領域として前記第１のウィンドウを識別することと
をさらに備える、方法。
【請求項９】
前記特徴のうちの少なくとも１つの値を対応する少なくとも１つの追加のしきい値と比較することが、
信号の平均交差の数を対応する平均交差のしきい値と比較することと、
前記比較の組合せに基づいて、前記皮膚伝導信号のノイズの多い領域として前記第１のウィンドウを識別することと
を備える、請求項８に記載の方法。
【請求項１０】
皮膚伝導信号内のノイズの多い領域を識別する方法であって、
前記信号を複数のウィンドウに分割することと、
第１のウィンドウ内の前記信号の２つ以上の特徴を計算することと、前記２つ以上の特徴のうちの少なくとも１つは周波数領域内にあり、前記信号の前記２つ以上の特徴が、正規化された範囲、正規化された最大値もしくは最小値、平均交差の数、低周波数エネルギーの量、または高周波数エネルギーの量のうちの少なくとも２つを備え、
少なくとも第１の基準値を取得するために、前記第１のウィンドウ内の前記信号の前記２つ以上の特徴のうちの少なくとも２つを結合することと、
前記第１の基準値を対応するしきい値と比較することと、
前記比較に少なくとも部分的に基づいて、前記皮膚伝導信号のノイズの多い領域として前記第１のウィンドウを識別することと
を備え、
前記第１のウィンドウ内の前記信号の２つ以上の特徴を計算することが、
前記第１のウィンドウ内の低周波数エネルギーの量と高周波数エネルギーの量とを計算することと、
前記高周波数エネルギーの量に対する前記低周波数エネルギーの量の比を形成することと
を備える、方法。
【請求項１１】
モバイルデバイスに搭載された皮膚伝導センサから前記皮膚伝導信号を獲得すること
をさらに備える、請求項１に記載の方法。
【請求項１２】
皮膚伝導信号内のノイズの多い領域を識別するための装置であって、
前記信号を複数のウィンドウに分割するための手段と、
第１のウィンドウ内の前記信号の２つ以上の特徴を計算するための手段と、前記２つ以上の特徴のうちの少なくとも１つは周波数領域内にあり、前記信号の前記２つ以上の特徴が、正規化された範囲、正規化された最大値もしくは最小値、平均交差の数、低周波数エネルギーの量、または高周波数エネルギーの量のうちの少なくとも２つを備え、
少なくとも第１の基準値を取得するために、前記第１のウィンドウ内の前記信号の前記２つ以上の特徴のうちの少なくとも２つを結合するための手段と、
前記第１の基準値を対応するしきい値と比較するための手段と、
前記比較に少なくとも部分的に基づいて、前記皮膚伝導信号のノイズの多い領域として前記第１のウィンドウを識別するための手段と
を備え、
前記第１のウィンドウ内の前記信号の２つ以上の特徴を計算するための手段が、
前記第１のウィンドウ内の低周波数エネルギーの量と高周波数エネルギーの量とを計算するための手段
を備え、
少なくとも前記第１の基準値を取得するために前記特徴のうちの前記少なくとも２つを結合するための手段が、前記高周波数エネルギーの量に対する前記低周波数エネルギーの量の比を形成するための手段を備える、装置。
【請求項１３】
皮膚伝導信号内のノイズの多い領域を識別するためのコンピュータプログラムであって、
請求項１乃至１１のいずれかのステップを実行するように、プロセッサによって実行可能な命令を備える、コンピュータプログラム。
【発明の詳細な説明】
【背景技術】
【０００１】
[0001]モバイルデバイスおよびワイヤレス通信システムは、音声、データなどの様々なタイプの電子通信コンテンツを提供するために広く展開されている。電子形態の通信（たとえば、電子メール、テキストメッセージ、ボイスメール、通話）は、人々が便利に他人と交信し、対話することを可能にしたが、電子通信の豊かさは減じられた。
【０００２】
[0002]電子通信は、それらだけでは、一般に、送信者の完全な感情状態を伝達しない。たとえば、調査は、所与のメッセージ内の少量の感情コンテキストしか言葉（たとえば、電子通信内のテキスト）によって伝達されないことを示唆している。より多くの量の感情コンテキストは、声のトーンによって口頭で伝達される。さらに多くの量は、顔の表情および他のボディジェスチャなどの非言語的コミュニケーションを使用して表される（Ｍｅｈｒａｂｉａｎ，Ａｌｂｅｒｔ；Ｆｅｒｒｉｓ，Ｓｕｓａｎ  Ｒ．（１９６７）  「Ｉｎｆｅｒｅｎｃｅ  ｏｆ  Ａｔｔｉｔｕｄｅｓ  ｆｒｏｍ  Ｎｏｎｖｅｒｂａｌ  Ｃｏｍｍｕｎｉｃａｔｉｏｎ  ｉｎ  Ｔｗｏ  Ｃｈａｎｎｅｌｓ」  Ｊｏｕｒｎａｌ  ｏｆ  Ｃｏｎｓｕｌｔｉｎｇ  Ｐｓｙｃｈｏｌｏｇｙ  ３１（３）：２４８−２５２）。電子通信に関して、送信者の感情コンテキストまたは感情状態は、通常、受信者によって誤解される。
【０００３】
[0003]人間の体から生理的データを収集するために、生体電位電極がバイオセンサとともに使用される場合がある。生理的データは、人の感情状態を決定するために使用される場合がある。加えて、バイオセンサは、人の身体的健康を監視するために使用される場合がある。バイオセンサは、生物学的反応を電気信号に変換することができる。通常、バイオセンサを含むこれらの電極は、標準の形状およびサイズ（たとえば、８ｍｍの平円板）である。生物学的反応から生成される電気信号は比較的小さい。結果として、少量のノイズでさえ電気信号に著しく干渉する可能性がある。これにより、人の決定された感情的状態または生理的状態が不正確または不明になり得る。
【０００４】
[0004]表面積が大きい生体電位電極は、バイオセンサによって生成された電気信号との干渉を引き起こす可能性があるノイズの量を減少させることができるが、表面積が大きい生体電位電極アレイを使用することは実現困難であり得る。一方、表面積が小さすぎる生体電位電極は、ノイズの量を増加させ、生理的データに関連する電気信号の読取りを実現困難にする可能性がある。
【発明の概要】
【０００５】
[0005]記載される特徴は、一般に、皮膚伝導信号（skin conductance signals）を処理するための、１つまたは複数の改善されたシステム、方法、および／または装置に関する。一実施形態では、信号はノイズの多い領域（noisy regions）を識別するために処理される場合がある。次いで、識別されたノイズの多い領域は、信号から皮膚伝導反応（ＳＣＲ）を決定するときに無視される場合がある。一構成では、信号は、信号のピークなどのいくつかの特徴を識別するために処理される場合もある。たとえば、本システムおよび方法は、信号の１次ピークと２次ピークとを識別するために、皮膚伝導信号を処理することができる。これらのピークの識別は、ＳＣＲを決定することを支援することができる。一実施形態では、皮膚伝導信号は、エネルギー領域から時間領域に信号を変換するために処理される場合がある。この領域変換により、信号の追加の特徴がＳＣＲの決定で識別され使用されることが可能になり得る。
【０００６】
[0006]皮膚伝導信号内のノイズの多い領域を識別するための方法、システム、およびデバイスが記載される。信号は、複数のウィンドウに分割される場合がある。第１のウィンドウ内の信号の２つ以上の特徴が計算される。周波数領域内にある２つ以上の特徴のうちの少なくとも１つ。特徴のうちの少なくとも２つは、少なくとも第１の基準値（first metric）を取得するために結合される。第１の基準値は、対応するしきい値と比較される。第１のウィンドウは、比較に基づいて皮膚伝導信号のノイズの多い領域として識別される。
【０００７】
[0007]一実施形態では、皮膚伝導信号の２つ以上の特徴は、正規化された範囲、正規化された最大値もしくは最小値、平均交差の数（a number of mean crossings）、低周波数エネルギーの量、または高周波数エネルギーの量のうちの少なくとも２つを含む。皮膚伝導反応（ＳＣＲ）は、皮膚伝導信号から検出される場合があり、皮膚伝導信号の識別されたノイズの多い領域は、ＳＣＲを検出する間無視される場合がある。
【０００８】
[0008]各ウィンドウは、皮膚伝導信号の複数の離散的なサンプルを含む場合がある。皮膚伝導信号の複数のサンプルのうちの少なくとも１つは、第２のウィンドウが第１のウィンドウと重複するように、第１のウィンドウと第２のウィンドウの両方に含まれる場合がある。２つ以上の特徴のうちの少なくとも１つは、時間領域内にあり得る。
【０００９】
[0009]少なくとも第１の基準値を取得するために特徴のうちの少なくとも２つを結合することは、周波数領域内の第１の特徴を周波数領域内の第２の特徴と結合することを含む場合がある。第１のウィンドウ内の信号の２つ以上の特徴を計算することは、第１のウィンドウ内の低周波数エネルギーの量と高周波数エネルギーの量とを計算することを含む場合がある。少なくとも第１の基準値を取得するために特徴のうちの少なくとも２つを結合することは、高周波数エネルギーの量に対する低周波数エネルギーの量の比を形成することを含む場合がある。
【００１０】
[0010]一実施形態では、第１の基準値用の対応するしきい値は、トレーニングデータから識別される場合がある。トレーニングデータは、皮膚伝導信号から取得される場合がある。
【００１１】
[0011]特徴のうちの少なくとも１つの値は、対応する少なくとも１つの追加のしきい値と比較される場合があり、第１のウィンドウは、比較の組合せに基づいて皮膚伝導信号のノイズの多い領域として識別される場合がある。特徴のうちの少なくとも１つの値を対応する少なくとも１つの追加のしきい値と比較することは、信号の平均交差の数を対応する平均交差のしきい値と比較することと、比較の組合せに基づいて皮膚伝導信号のノイズの多い領域として第１のウィンドウを識別することとを含む場合がある。
【００１２】
[0012]一例では、第１のウィンドウ内の信号の２つ以上の特徴を計算することは、第１のウィンドウ内の低周波数エネルギーの量と高周波数エネルギーの量とを計算することと、高周波数エネルギーの量に対する低周波数エネルギーの量の比を形成することとを含む場合がある。一構成では、皮膚伝導信号は、モバイルデバイスに搭載された皮膚伝導センサから獲得される場合がある。
【００１３】
[0013]皮膚伝導信号内のノイズの多い領域を識別するためのモバイルデバイスも記載される。モバイルデバイスは、プロセッサと、このプロセッサと電子通信しているメモリとを含む場合がある。命令はメモリに記憶される場合がある。命令は、信号を複数のウィンドウに分割することと、第１のウィンドウ内の信号の２つ以上の特徴を計算することとを行うように、プロセッサによって実行可能であり得る。周波数領域内にある２つ以上の特徴のうちの少なくとも１つ。命令はまた、少なくとも第１の基準値を取得するために少なくとも２つまたは特徴を結合することと、第１の基準値を対応するしきい値と比較することと、少なくとも一部は比較に基づいて皮膚伝導信号のノイズの多い領域として第１のウィンドウを識別することとを行うように、プロセッサによって実行可能であり得る。
【００１４】
[0014]皮膚伝導信号内のノイズの多い領域を識別するための装置も記載される。装置は、信号を複数のウィンドウに分割するための手段と、第１のウィンドウ内の信号の２つ以上の特徴を計算するための手段とを含む場合がある。周波数領域内にある２つ以上の特徴のうちの少なくとも１つ。装置はまた、少なくとも第１の基準値を取得するために特徴のうちの少なくとも２つを結合するための手段と、第１の基準値を対応するしきい値と比較するための手段と、少なくとも一部は比較に基づいて皮膚伝導信号のノイズの多い領域として第１のウィンドウを識別するための手段とを含む場合がある。
【００１５】
[0015]皮膚伝導信号内のノイズの多い領域を識別するためのコンピュータプログラム製品も記載される。コンピュータプログラム製品は、信号を複数のウィンドウに分割することと、第１のウィンドウ内の信号の２つ以上の特徴を計算することとを行うように、プロセッサによって実行可能な命令を記憶する非一時的コンピュータ可読媒体を含む場合がある。周波数領域内にある２つ以上の特徴のうちの少なくとも１つ。命令は、少なくとも第１の基準値を取得するために特徴のうちの少なくとも２つを結合することと、第１の基準値を対応するしきい値と比較することと、少なくとも一部は比較に基づいて皮膚伝導信号のノイズの多い領域として第１のウィンドウを識別することとを行うように、プロセッサによって実行可能であり得る。
【００１６】
[0016]皮膚伝導信号のピークを検出する方法も記載される。ピークの第１のセットは、皮膚伝導信号の１つまたは複数のパラメータの第１のセットを識別することによって識別される場合がある。皮膚伝導信号の１つまたは複数の１次ピークを含むピークの第１のセット。１つまたは複数のパラメータの第１のセットの各パラメータは、１つまたは複数のしきい値の第１のセット内の対応するしきい値と比較される場合がある。少なくとも１つの１次ピークの１つまたは複数のパラメータの第２のセットは、ピークの第１のセット内で計算される場合がある。１つまたは複数のパラメータの第２のセットの各パラメータは、１つまたは複数のしきい値の第２のセット内の対応するしきい値と比較される場合がある。少なくとも１つの１次ピークに関連付けられた少なくとも１つの２次ピークは、１つまたは複数のパラメータの第２のセットの各パラメータの、１つまたは複数のしきい値の第２のセット内の対応するしきい値との比較に少なくとも部分的に基づいて、識別される場合がある。
【００１７】
[0017]一実施形態では、皮膚伝導信号は、複数の離散的なサンプルを含む場合がある。１つまたは複数のパラメータの第２のセットを計算することは、第１の１次ピークの第１のエッジに沿って位置する離散的なサンプルのセットについて第２の微分のセット（a set of second derivatives）を計算することと、第２の微分のセットから第１のエッジの湾曲率（curvedness factor）を決定することとを含む場合がある。
【００１８】
[0018]第１のエッジの湾曲率を決定することは、第２の微分のセットの範囲を決定することと、範囲の大きさを湾曲率として識別することとを含む場合がある。１つまたは複数のパラメータの第２のセットの各パラメータを１つまたは複数のしきい値の第２のセット内の対応するしきい値と比較することは、第１のエッジの湾曲率を湾曲のしきい値と比較することを含む場合がある。
【００１９】
[0019]一実施形態では、第１の１次ピークに関連付けられた２次ピークの位置は、第２の微分のセット内の符号における変化に基づいて識別される場合がある。皮膚伝導信号の１つまたは複数のパラメータの第１のセットは、勾配、立上り時間、または振幅のうちの少なくとも１つを含む場合がある。皮膚伝導信号は、モバイルデバイスに搭載された皮膚伝導センサから獲得される場合がある。
【００２０】
[0020]皮膚伝導信号のピークを検出するためのモバイルデバイスも記載される。モバイルデバイスは、プロセッサと、このプロセッサと電子通信しているメモリとを含む場合がある。命令はメモリに記憶される場合がある。皮膚伝導信号の１つまたは複数のパラメータの第１のセットを識別することによって、ピークの第１のセットを識別するように、プロセッサによって実行可能である命令。ピークの第１のセットは、皮膚伝導信号の１つまたは複数の１次ピークを含む場合がある。命令はまた、１つまたは複数のパラメータの第１のセットの各パラメータを１つまたは複数のしきい値の第１のセット内の対応するしきい値と比較することと、ピークの第１のセット内で少なくとも１つの１次ピークの１つまたは複数のパラメータの第２のセットを計算することと、１つまたは複数のパラメータの第２のセットの各パラメータを１つまたは複数のしきい値の第２のセット内の対応するしきい値と比較することと、１つまたは複数のパラメータの第２のセットの各パラメータの、１つまたは複数のしきい値の第２のセット内の対応するしきい値との比較に少なくとも部分的に基づいて、少なくとも１つの１次ピークに関連付けられた少なくとも１つの２次ピークを識別することとを行うように、プロセッサによって実行可能であり得る。
【００２１】
[0021]皮膚伝導信号のピークを検出するための装置も記載される。装置は、皮膚伝導信号の１つまたは複数のパラメータの第１のセットを識別することによって、ピークの第１のセットを識別するための手段を含む場合がある。皮膚伝導信号の１つまたは複数の１次ピークを含むピークの第１のセット。１つまたは複数のパラメータの第１のセットの各パラメータを１つまたは複数のしきい値の第１のセット内の対応するしきい値と比較するための手段と、ピークの第１のセット内で少なくとも１つの１次ピークの１つまたは複数のパラメータの第２のセットを計算するための手段と、１つまたは複数のパラメータの第２のセットの各パラメータを１つまたは複数のしきい値の第２のセット内の対応するしきい値と比較するための手段と、１つまたは複数のパラメータの第２のセットの各パラメータの、１つまたは複数のしきい値の第２のセット内の対応するしきい値との比較に少なくとも部分的に基づいて、少なくとも１つの１次ピークに関連付けられた少なくとも１つの２次ピークを識別するための手段とをやはり含む装置。
【００２２】
[0022]皮膚伝導信号のピークを検出するためのコンピュータプログラム製品も記載される。コンピュータプログラム製品は、皮膚伝導信号の１つまたは複数のパラメータの第１のセットを識別することによって、ピークの第１のセットを識別するように、プロセッサによって実行可能な命令を記憶する非一時的コンピュータ可読媒体を含む場合がある。皮膚伝導信号の１つまたは複数の１次ピークを含むピークの第１のセット。１つまたは複数のパラメータの第１のセットの各パラメータを１つまたは複数のしきい値の第１のセット内の対応するしきい値と比較することと、ピークの第１のセット内で少なくとも１つの１次ピークの１つまたは複数のパラメータの第２のセットを計算することと、１つまたは複数のパラメータの第２のセットの各パラメータを１つまたは複数のしきい値の第２のセット内の対応するしきい値と比較することと、１つまたは複数のパラメータの第２のセットの各パラメータの、１つまたは複数のしきい値の第２のセット内の対応するしきい値との比較に少なくとも部分的に基づいて、少なくとも１つの１次ピークに関連付けられた少なくとも１つの２次ピークを識別することとを行うように、プロセッサによって実行可能である命令。
【００２３】
[0023]皮膚伝導信号を時間領域からエネルギー領域に変換する方法も記載される。時間領域内の皮膚伝導信号は、複数のウィンドウに分割される場合がある。第１のウィンドウ内の皮膚伝導信号の関数は、エネルギー領域内でエネルギーの第１の基準値を取得するために、計算される場合がある。第２の信号は、エネルギー領域内で計算される場合がある。エネルギーの基準値の関数である第２の信号。
【００２４】
[0024]一構成では、各ウィンドウは、皮膚伝導信号の複数の離散的なサンプルを含む場合がある。皮膚伝導信号の複数の離散的なサンプルのうちの少なくとも１つは、複数のウィンドウのうちの重複するウィンドウに含まれる場合がある。エネルギー領域内でエネルギーの第１の基準値を取得するために第１のウィンドウ内の皮膚伝導信号の関数を計算することは、第１のウィンドウおよび皮膚伝導信号によって少なくとも部分的に定義される面積を計算することを含む場合がある。第２の信号は、対応するしきい値と比較される場合がある。皮膚伝導信号のピークは、比較に基づいてエネルギー領域内で識別される場合がある。
【００２５】
[0025]皮膚伝導信号の関数は、エネルギー領域内でエネルギーの第２の基準値を取得するために、第２のウィンドウ内で計算される場合がある。時間領域内の皮膚伝導信号を複数のウィンドウに分割することは、エネルギーの第１の基準値とエネルギーの第２の基準値との間の差異を軽減するように、第２のウィンドウの幅を調整することを含む場合がある。皮膚伝導信号は、モバイルデバイスに搭載された皮膚伝導センサから獲得される場合がある。
【００２６】
[0026]皮膚伝導信号を時間領域からエネルギー領域に変換するためのモバイルデバイスも記載される。デバイスは、プロセッサと、このプロセッサと電子通信しているメモリとを含む場合がある。命令はメモリに記憶される場合がある。時間領域内の皮膚伝導信号を複数のウィンドウに分割することと、エネルギー領域内でエネルギーの第１の基準値を取得するために第１のウィンドウ内で皮膚伝導信号の関数を計算することと、エネルギー領域内で第２の信号を計算することとを行うように、プロセッサによって実行可能であり、第２の信号はエネルギーの基準値の関数である命令。
【００２７】
[0027]皮膚伝導信号を時間領域からエネルギー領域に変換するための装置も記載される。装置は、時間領域内の皮膚伝導信号を複数のウィンドウに分割するための手段と、エネルギー領域内でエネルギーの第１の基準値を取得するために第１のウィンドウ内で皮膚伝導信号の関数を計算するための手段と、エネルギー領域内で第２の信号を計算するための手段とを含む場合があり、第２の信号はエネルギーの基準値の関数である。
【００２８】
[0028]皮膚伝導信号を時間領域からエネルギー領域に変換するためのコンピュータプログラム製品も記載される。時間領域内の皮膚伝導信号を複数のウィンドウに分割することと、エネルギー領域内でエネルギーの第１の基準値を取得するために第１のウィンドウ内で皮膚伝導信号の関数を計算することと、エネルギー領域内で第２の信号を計算することとを行うように、プロセッサによって実行可能な命令を記憶する非一時的コンピュータ可読媒体を含み、第２の信号はエネルギーの基準値の関数であるコンピュータプログラム製品。
【００２９】
[0029]記載される方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００３０】
[0030]本発明の性質および利点のさらなる理解は、以下の図面を参照して実現され得る。添付の図において、同様の構成要素または特徴は同じ参照ラベルを有することができる。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図面の簡単な説明】
【００３１】
【図１】[0031]ワイヤレス通信システムの一例のブロック図。
【図２】[0032]様々な実施形態により、皮膚伝導信号処理を実現するモバイルデバイスの第１の例のブロック図。
【図３】[0033]様々な実施形態により、皮膚伝導信号処理を実現するモバイルデバイスの第２の例のブロック図。
【図４】[0034]皮膚伝導信号内のノイズの多い領域を識別するための皮膚伝導信号処理モジュールの一例のブロック図。
【図５】[0035]皮膚伝導信号の複雑なピークパターンの一例のグラフ。
【図６】[0036]複雑なピークパターンなどの皮膚伝導信号の特徴を識別するための皮膚伝導信号処理モジュールの一例のブロック図。
【図７】[0037]１次ピークパラメータ計算モジュールの一例のブロック図。
【図８】[0038]皮膚伝導信号を時間領域からエネルギー領域に変換するための皮膚伝導信号処理モジュールの一例のブロック図。
【図９】[0039]皮膚伝導信号内のノイズの多い領域を識別するための方法の一例のフローチャート。
【図１０】[0040]皮膚伝導信号内のノイズの多い領域を識別するための方法の第２の例のフローチャート。
【図１１】[0041]複雑なピークパターンなどの皮膚伝導信号の特徴を識別するための方法の一例のフローチャート。
【図１２】[0042]複雑なピークパターンなどの皮膚伝導信号の特徴を識別するための方法の別の例のフローチャート。
【図１３】[0043]皮膚伝導信号を時間領域からエネルギー領域に変換するための方法の一例のフローチャート。
【図１４】[0044]皮膚伝導信号を時間領域からエネルギー領域に変換するための方法の別の例のフローチャート。
【発明を実施するための形態】
【００３２】
[0045]皮膚伝導信号を処理するための様々な技法が記載される。皮膚伝導信号は、被験者のエクリン汗腺の伝導性を示す信号である。皮膚伝導信号は、皮膚伝導反応を発生させるように処理され得る。皮膚伝導反応は、被験者の覚醒状態などの被験者についての有用な生理的データを提供することができる。被験者は、たとえば、魅惑、興奮、または恐怖などの感情を経験する結果として覚醒される場合がある。
【００３３】
[0046]本明細書に記載される処理技法の一例では、皮膚伝導信号は、皮膚伝導信号内のノイズの多い領域を識別するために処理される。皮膚伝導信号から皮膚伝導反応を検出するとき、識別されたノイズの多い領域は無視され得る。別の例では、皮膚伝導信号は、皮膚伝導信号のピーク、より詳細には、皮膚伝導信号の１次ピークおよび２次ピークなどの特徴を検出するために処理される。２次ピークは、１次ピークの立下りエッジまたは立上りエッジによって包含された立上りエッジまたは立下りエッジを有するピークなどの、１次ピークに関連付けられたピークである。さらに別の例では、皮膚伝導信号は、時間領域からエネルギー領域に信号を変換するために処理される。皮膚伝導信号をエネルギー領域に変換すると、時間領域内では容易に識別できない信号の特徴（たとえば、ピーク）の識別が可能になることがある。
【００３４】
[0047]以下の説明は例を提供するものであり、特許請求の範囲に記載される範囲、適用性、または構成を限定するものではない。本開示の趣旨および範囲から逸脱することなく、説明される要素の機能および構成において変更が行われ得る。様々な実施形態は、必要に応じて様々な手順または構成要素を省略、置換、または追加することができる。たとえば、記載される方法は、記載される順序とは異なる順序で実施されてよく、様々なステップが追加、省略、または組み合わされてよい。また、いくつかの実施形態に関して記載される特徴は、他の実施形態において組み合わされ得る。
【００３５】
[0048]皮膚伝導信号を処理するための開示される技法は、様々な手段で獲得された皮膚伝導信号に適用され得る。しかしながら、その技法は、特にモバイルデバイスによって獲得された信号を処理するのに好適である。モバイルデバイスには、携帯電話、およびスマートフォンなどのワイヤレス通信デバイスが含まれるが、携帯情報端末（ＰＤＡ）、タブレット、他のハンドヘルドデバイス、ネットブック、またはノートブックコンピュータも含まれ得る。モバイルデバイスには、心電計（ＥＣＧもしくはＥＫＧ）または脳波記録（ＥＥＧ）のデバイスまたはセンサなどのバイオフィードバックデバイスも含まれ得る。下記に、例として、皮膚伝導信号を処理するための開示される技法が、ワイヤレス通信システムにおいて使用されるモバイルデバイスのコンテキストで記載される。
【００３６】
[0049]本明細書に記載される技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなどの様々なワイヤレス通信システムと通信することが可能なモバイルデバイスによって使用される場合がある。「システム」および「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の技術などの、ワイヤレスシステムにおける多元接続のための様々な無線通信技術を採用することができる。一般に、ワイヤレス通信は、無線アクセス技術（ＲＡＴ）と呼ばれる１つまたは複数の無線通信技術の標準化された実装に従って実行される。無線アクセス技術を実装するワイヤレス通信システムまたはネットワークは、無線アクセスネットワーク（ＲＡＮ）と呼ばれる場合がある。
【００３７】
[0050]ＣＤＭＡ技法を採用する無線アクセス技術の例には、ＣＤＭＡ２０００、ユニバーサル地上無線アクセス（ＵＴＲＡ）などが含まれる。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムの例には、モバイル通信用グローバルシステム（ＧＳＭ（登録商標））の様々な実装形態が含まれる。ＦＤＭＡおよび／またはＯＦＤＭＡを採用する無線アクセス技術の例には、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュＯＦＤＭなどが含まれる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する組織からの文書に記載されている。本明細書に記載される技法は、上述されたシステムおよび無線技術、ならびに他のシステムおよび無線技術に使用される場合がある。
【００３８】
[0051]最初に図１を参照すると、ブロック図は、ワイヤレス通信システム１００の一例を示す。システム１００は、基地局１０５（またはセル）と、モバイルデバイス１１５と、基地局コントローラ１２０と、コアネットワーク１２５とを含む（コントローラ１２０はコアネットワーク１２５に組み込まれる場合がある）。システム１００は、複数の搬送波（異なる周波数の波形信号）上での動作をサポートすることができる。
【００３９】
[0052]基地局１０５は、基地局アンテナ（図示せず）を介してモバイルデバイス１１５とワイヤレスに通信することができる。基地局１０５は、複数の搬送波を介して基地局コントローラ１２０の制御下でモバイルデバイス１１５と通信することができる。基地局１０５サイトの各々は、それぞれの地理的エリアに通信カバレージを提供することができる。ここでは、基地局１０５ごとのカバレッジエリアは、１１０−ａ、１１０−ｂ、または１１０−ｃとして識別される。基地局用のカバレッジエリアは、（図示されないが、カバレッジエリアの一部分だけを構成する）セクタに分割される場合がある。システム１００は、様々なタイプの基地局１０５（たとえば、マクロ基地局、マイクロ基地局、および／またはピコ基地局）を含む場合がある。様々な技術のための重複カバレージエリアが存在する場合がある。
【００４０】
[0053]モバイルデバイス１１５は、カバレッジエリア１１０全体にわたって分散される場合がある。モバイルデバイス１１５は、代わりに、移動局、アクセス端末（ＡＴ）、ユーザ機器（ＵＥ）、加入者局（ＳＳ）、または加入者ユニットと呼ばれる場合がある。モバイルデバイス１１５には、携帯電話およびワイヤレス通信デバイスが含まれ得るが、携帯情報端末（ＰＤＡ）、他のハンドヘルドデバイス、ネットブック、ノートブックコンピュータなども含まれ得る。
【００４１】
[0054]基地局１０５により、モバイルデバイス１１５のユーザが互いに通信することが可能になり得る。たとえば、モバイルデバイス１１５は、別のモバイルデバイスに電子通信（たとえば、電子メール、テキストメッセージ、ボイスメールメッセージなど）を送ることができる。様々なモバイルデバイス１１５のユーザはまた、自分のそれぞれのデバイスを使用してリアルタイムの会話（すなわち、通話）に参加することができる。さらに、モバイルデバイス１１５は、それらのユーザから皮膚伝導信号を獲得することができ、皮膚伝導反応（たとえば、ユーザの覚醒などの、モバイルデバイス１１５のユーザについての生理的データ）を検出するために、これらの信号を処理することができる。
【００４２】
[0055]次に図２を参照すると、ブロック図２００は、様々な実施形態により、皮膚伝導信号処理を実現するモバイルデバイス１１５−ａを示す。モバイルデバイス１１５−ａは、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネットアプライアンス、ゲームコンソール、電子リーダーなどの様々な構成のいずれかを有することができる。モバイルデバイス１１５−ａは、モバイル動作を容易にするために、小さいバッテリなどの内部電源を有することができる。いくつかの実施形態では、モバイルデバイス１１５ーａは、図１のモバイルデバイス１１５の一例であり得る。モバイルデバイス１１５−ａは、マルチモードのモバイルデバイスであり得る。
【００４３】
[0056]モバイルデバイス１１５−ａは、アンテナ２０５と、トランシーバモジュール２１０と、メモリ２１５と、プロセッサモジュール２２０とを含む場合があり、それらは各々、（たとえば、１つまたは複数のバスを介して）互いに直接的または間接的に通信している場合がある。トランシーバモジュール２１０は、上述されたように、アンテナ２０５および／または１つもしくは複数の有線リンクもしくはワイヤレスリンクを介して、１つまたは複数のネットワークと双方向に通信するように構成される。たとえば、トランシーバモジュール２１０は、図１の基地局１０５と双方向に通信するように構成される場合がある。トランシーバモジュール２１０は、パケットを変調し、変調されたパケットを送信のためにアンテナ２０５に供給し、アンテナ２０５から受信されたパケットを復調するように構成された、モデムを含む場合がある。モバイルデバイス１１５−ａは単一のアンテナを含む場合があるが、モバイルデバイス１１５−ａは、通常、複数のリンク用の複数のアンテナ２０５を含む。
【００４４】
[0057]メモリ２１５には、ランダムアクセスメモリ（ＲＡＭ）および読取り専用メモリ（ＲＯＭ）が含まれ得る。メモリ２１５は、実行されたとき、プロセッサモジュール２２０に様々な機能を実施させるように構成された命令を含んでいる、コンピュータ可読のコンピュータ実行可能ソフトウェアコード２２５を記憶することができる。代替として、ソフトウェアコード２２５は、プロセッサモジュール２２０によって直接実行できない場合があるが、（たとえば、コンパイルされ実行されたとき）本明細書に記載された機能をコンピュータに実施させるように構成される場合がある。
【００４５】
[0058]プロセッサモジュール２２０には、インテリジェントハードウェアデバイス、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などが含まれ得る。プロセッサモジュール２２０は、マイクロフォンを介してオーディオを受信し、そのオーディオを、受信されたオーディオを表す（たとえば、長さ３０ｍｓの）パケットに変換し、そのオーディオパケットをトランシーバモジュール２１０に供給し、ユーザが話しているかどうかの指示を与えるように構成された、音声エンコーダ（図示せず）を含む場合がある。代替として、エンコーダはトランシーバモジュール２１０にパケットを供給することしかできず、パケット自体の供給または抑制／抑圧が、ユーザが話しているかどうかの指示を与える。
【００４６】
[0059]図２のアーキテクチャによれば、モバイルデバイス１１５−ａは、通信管理モジュール２３０をさらに含む場合がある。通信管理モジュール２３０は、他のモバイルデバイス１１５との通信を管理することができる。例として、通信管理モジュール２３０は、バスを介してモバイルデバイス１１５−ａの他の構成要素の一部またはすべてと通信しているモバイルデバイス１１５−ａの構成要素であり得る。代替として、通信管理モジュール２３０の機能は、トランシーバモジュール２１０の構成要素として、コンピュータプログラム製品として、および／またはプロセッサモジュール２２０の１つもしくは複数のコントローラ要素として実装される場合がある。
【００４７】
[0060]いくつかの実施形態では、ハンドオーバモジュール２３５は、ある基地局１０５から別の基地局へのモバイルデバイス１１５−ａの再選択手順とハンドオーバ手順とを実施するために利用される場合がある。たとえば、ハンドオーバモジュール２３５は、シグナリング搬送波から別のシグナリング搬送波への、あるトラフィック搬送波から別のトラフィック搬送波への、ならびにシグナリング搬送波とトラフィック搬送波との間のモバイルデバイス１１５−ａのハンドオーバ手順を実施することができる。
【００４８】
[0061]いくつかの実施形態では、デバイス１１５−ａは、皮膚伝導信号センサ２４０を含む場合がある。センサ２４０は、モバイルデバイス１１５−ａのユーザについての皮膚伝導信号を獲得することができる。皮膚伝導信号センサ２４０は、デバイス１１５−ａの表面に沿って埋め込まれた電極の単一ペアの形態をとる場合がある。他の場合、皮膚伝導信号センサは、電極タイルの構成可能な生体電位アレイを含む場合がある。電極タイルは、様々な構成および様々な形状でアレイ内に配置される場合がある。アレイは、デバイス１１５−ａの表面エリアに沿って埋め込まれる場合がある。バイオセンサは、デバイス１１５−ａのユーザに関連付けられた生理的データを収集するために、電極と一体化される場合がある。ユーザの皮膚と接触している電極は、データの収集を開始するためにアクティブ化される場合がある。たとえば、ユーザがモバイルデバイス１１５−ａを自分の手に保持すると、ユーザの手、指などの皮膚と接触している電極がアクティブ化される場合がある。ユーザの皮膚との接触が終了した後、アクティブ化されている電極が非アクティブ化される場合がある。たとえば、ユーザが、デバイス１１５を把持している位置を変更すると、現在アクティブ化されている電極は非アクティブ化される場合があり、現在非アクティブ化されている電極はアクティブ化される場合がある。一実施形態では、皮膚伝導信号は、ユーザによって装着され得る皮膚伝導信号センサ２４０（たとえば、１つまたは複数のフィンガパッド）から獲得される場合がある。皮膚伝導信号センサおよび皮膚電気活動を獲得するように構成可能な電極タイルの生体電位アレイは、参照によりその全体が本明細書に組み込まれる、「Ｍｅｔｈｏｄｓ  ａｎｄ  Ｄｅｖｉｃｅｓ  ｆｏｒ  Ａｃｑｕｉｒｉｎｇ  Ｅｌｅｃｔｒｏｄｅｒｍａｌ  Ａｃｔｉｖｉｔｙ」と題する米国出願第１３／６９２，３６３号にさらに開示されている。
【００４９】
[0062]皮膚伝導信号処理モジュール２４５は、皮膚伝導信号センサ２４０によって獲得された皮膚伝導信号を受信し、皮膚伝導信号のオンボード処理を実施することができる。皮膚伝導信号処理モジュール２４５は、本明細書に記載されるように、様々な技法を使用して、様々な目的で皮膚伝導信号を処理することができる。
【００５０】
[0063]場合によっては、皮膚伝導信号は、複数の離散的なサンプルとして獲得されるか、またはそれらに変換される場合がある。サンプルは、皮膚伝導信号処理モジュール２４５に直接供給される場合があるか、または次の取出しのためにメモリ２１５に記憶される場合がある。場合によっては、獲得されたサンプルのうちの一部またはすべては、１つまたは複数のタイマに関連付けられる場合がある。特定のサンプルまたはサンプルセットに関連付けられたタイマが満了すると、サンプルはメモリ２１５から除去される場合がある。このようにして、サンプルは、もはや関連がないとき破棄される場合がある。サンプルは、他の方法でメモリ２１５から除去される場合もある。
【００５１】
[0064]次に図３を参照すると、ブロック図３００は、様々な実施形態により、皮膚伝導信号の処理を可能にするモバイルデバイス１１５−ｂを示す。デバイス１１５−ｂは、図１および／または図２を参照して記載されたモバイルデバイス１１５の１つまたは複数の態様の一例であり得る。デバイス１１５−ｂは、受信機モジュール３０５、皮膚伝導信号処理モジュール２４５−ａ、送信機モジュール３１５、皮膚伝導信号センサ２４０−ａ、および／またはアプリケーションモジュール３２５を含む場合がある。これらの構成要素の各々は、互いに通信している場合がある。
【００５２】
[0065]デバイス１１５−ｂの構成要素は、個別または集合的に、ハードウェア内の適用可能な機能の一部またはすべてを実施するように適応された、１つまたは複数の特定用途向け集積回路（ＡＳＩＣ）を用いて実装される場合がある。代替として、それらの機能は、１つまたは複数の他の処理ユニット（またはコア）によって、１つまたは複数の集積回路上で実施される場合がある。他の実施形態では、当技術分野で知られている任意の方式でプログラムされ得る、他のタイプの集積回路（たとえば、構造化／プラットフォームＡＳＩＣ、フィールドプログラマブルゲートアレイ（ＦＰＧＡ）、および他のセミカスタムＩＣ）が使用される場合がある。各ユニットの機能はまた、全体的または部分的に、１つまたは複数の汎用プロセッサまたは特定用途向けプロセッサによって実行されるようにフォーマットされた、メモリに組み込まれた命令を用いて実装される場合がある。
【００５３】
[0066]例として、受信機モジュール３０５は、セルラー受信機、ＷＬＡＮ受信機、および触覚受信機（たとえば、キーボードまたはタッチスクリーン）のうちの１つまたは複数を含む場合がある。いくつかの実施形態では、デバイス１１５−ｂは、受信機モジュール３０５を介して、皮膚伝導信号処理モジュール２４５−ａが使用するためのしきい値（またはそれらからしきい値が識別され得るトレーニングデータ）を受信することができる。代替として、デバイス１１５−ｂは、しきい値を用いて事前にプログラムされる場合があるか、またはデバイス１１５−ｂは、皮膚伝導信号センサ２４０−ａを介して取得されたトレーニングデータからしきい値を識別することができる。
【００５４】
[0067]デバイス１１５−ｂはまた、受信機モジュール３０５を介して、ウェブコンテンツ、ユーザ入力、または他のデータを受信することができる。ウェブコンテンツは、アプリケーションモジュール３２５に供給される場合があり、アプリケーションモジュール３２５は、デバイス１１５−ｂのユーザがウェブコンテンツによって覚醒されたかどうか、およびどのように覚醒されたかを決定することができる。場合によっては、ウェブコンテンツは、広告主がユーザの覚醒査定によって評価することを望む広告を含む場合がある。アプリケーションモジュール３２５は、ウェブコンテンツがユーザに表示されるようにすること、および、次いで皮膚伝導処理モジュール２４５−ａから皮膚伝導反応を獲得または捕捉することによって、ユーザが覚醒されたかどうか、およびどのように覚醒されたかを決定することができる。特定の広告は、それが対象とする被験者からある特定の覚醒レベルを引き出した場合、成功と考えられ得る。
【００５５】
[0068]他の実施形態では、アプリケーションモジュール３２５は、たとえば、デバイス１１５−ｂによって捕捉または表示された写真に、ユーザに再生された音楽、広告、もしくは他のコンテンツに、またはデバイス１１５−ｂに再生されたゲームとのユーザの対話に応答して、ユーザの覚醒を決定することができる。
【００５６】
[0069]例として、送信機モジュール３１５は、セルラー送信機またはＷＬＡＮ送信機のうちの１つまたは複数を含む場合がある。場合によっては、皮膚伝導信号または皮膚伝導反応は、送信機モジュール３１５を介してネットワーク上でデバイスから送信される場合がある。
【００５７】
[0070]図４は、皮膚伝導信号処理モジュール２４５−ｂの一実施形態を示すブロック図４００である。モジュール２４５−ｂは、図２および／または図３に示された皮膚伝導信号処理モジュール２４５の一例であり得る。モジュール２４５−ｂは、信号分割モジュール４０５と、特徴計算モジュール４１０と、特徴結合モジュール４１５と、しきい値比較モジュール４２０と、ノイズの多い領域識別モジュール４２５とを含む場合がある。モジュール２４５−ｂは、皮膚伝導信号内のノイズの多い領域を識別するために使用される場合がある。
【００５８】
[0071]一実施形態では、皮膚伝導信号処理モジュール２４５−ｂは、皮膚伝導信号を獲得することができる。信号は、１つまたは複数の皮膚伝導センサを介して、受信機モジュール３０５によって受信される場合がある。１つまたは複数のセンサは、モバイルデバイス１１５に搭載される場合がある。
【００５９】
[0072]信号分割モジュール４０５は、皮膚伝導信号を複数のウィンドウに分割することができる。たとえば、信号分割モジュールは、皮膚伝導信号を離散的なサンプルの順序付けられたシーケンスとして受信することができ、（たとえば、スライドウィンドウ手法を使用して）各ウィンドウが１つまたは複数の離散的なサンプルを含むように、信号を複数のウィンドウに分割することができる。いくつかの実施形態では、皮膚伝導信号の１つまたは複数のサンプルは、第２のウィンドウが第１のウィンドウと重複するように、第１のウィンドウと第２のウィンドウの両方に含まれる場合がある。いくつかの事例では、ウィンドウのすべてが重複する場合がある。
【００６０】
[0073]特徴計算モジュール４１０は、各ウィンドウ内の皮膚伝導信号の２つ以上の特徴を計算することができる。特徴のうちの少なくとも１つは、周波数領域内にあり得る。特徴のうちの１つまたは複数は、時間領域内にもあり得る。計算される特徴は、たとえば、正規化された範囲、正規化された最大値もしくは最小値、平均交差の数、低周波数エネルギーの量（信号の平均を下回るエネルギーの量）、または高周波数エネルギーの量（信号の平均を上回るエネルギーの量）のうちの２つ以上を含む場合がある。
【００６１】
[0074]特徴結合モジュール４１５は、特定のウィンドウ用の少なくとも第１の基準値を取得するために、そのウィンドウ用に計算された特徴のうちの２つ以上を結合することができる。たとえば、高周波数エネルギーの量に対する低周波数エネルギーの量の比（たとえば、ＬＦ／ＨＦ比）を形成するために、ウィンドウ用の低周波数エネルギーの量は、ウィンドウ用の高周波数エネルギーの量と結合される場合がある。
【００６２】
[0075]しきい値比較モジュール４２０は、ウィンドウ用の各基準値を対応するしきい値と比較することができる。たとえば、モジュール４２０は、ウィンドウ用のＬＦ／ＨＦ比をＬＦ／ＨＦ比のしきい値と比較することができる。しきい値比較モジュール４２０はまた、１つまたは複数の特徴の値を対応するしきい値と比較することができる。たとえば、モジュール４２０は、信号の平均交差の数を対応する平均交差のしきい値と比較することができる。
【００６３】
[0076]ノイズの多い領域識別モジュール４２５は、比較のうちの１つまたは複数に基づいて、皮膚伝導信号のノイズの多い領域としてウィンドウを識別することができる。たとえば、一実施形態では、ウィンドウは、その高周波数エネルギーの量が大きすぎることを示すしきい値を、そのＬＦ／ＨＦ比が越えたとき、ノイズの多い領域として識別される。別の例示的な実施形態では、ウィンドウは、比較の組合せに基づいてノイズの多い領域として識別される。たとえば、ウィンドウは、１）そのＬＦ／ＨＦ比がしきい値を越えることと、２）その信号の平均交差の数がしきい値を越えることの両方が発生したとき、ノイズの多い領域として識別される場合がある。比較の組合せにより、ウィンドウがノイズの多い領域として誤って識別される可能性が軽減され得る。ノイズが多いと識別された皮膚伝導信号の領域は、ＳＣＲを決定するときに無視される場合がある。
【００６４】
[0077]図５は、複雑なピークパターンのグラフ５００を提供する。いくつかの実施形態では、図２、図３、および／または図４に記載された皮膚伝導信号処理モジュール２４５は、皮膚伝導信号内の複雑なピークパターンを識別するために使用され得る。図５のコンテキストでは、現在の皮膚伝導反応システムは、皮膚伝導信号５０５の１次ピーク５１０を検出するように構成されるが、２次ピーク５１５を検出することはできない。しかしながら、２次ピーク５１５は、ユーザの覚醒における変化を示すことができ、したがって、皮膚伝導信号を処理するための従来のシステム、方法、および装置が検出することができない有用な情報を提供することができる。１次ピークおよび２次ピークの検出に関する詳細が以下に記載される。
【００６５】
[0078]図６は、皮膚伝導信号処理モジュール２４５−ｃの別の実施形態を示すブロック図６００である。モジュール２４５−ｃは、図２、図３、および／または図４に示された皮膚伝導信号処理モジュール２４５の一例であり得る。モジュール２４５−ｃは、１次ピーク識別モジュール６０５と、１次ピークパラメータ計算モジュール６１０と、しきい値比較モジュール６１５と、２次ピーク識別モジュール６２０とを含む場合がある。モジュール２４５−ｃは、皮膚伝導信号のピークを識別するために使用される場合がある。次いで、検出されたピークは、ユーザの皮膚伝導反応を決定するために分析され得る。
【００６６】
[0079]１次ピーク識別モジュール６０５は、皮膚伝導信号のピークの第１のセットを識別することができる。ピークの第１のセットは、皮膚伝導信号の１つまたは複数のパラメータの第１のセットを識別すること、および各パラメータを１つまたは複数のしきい値の第１のセット内の対応するしきい値と比較することによって識別される。パラメータは、皮膚伝導信号を形成する離散的なサンプルの第１の微分、ならびに疑わしいピークエッジの立上り時間、振幅、および勾配を含む場合がある。識別されたピークの第１のセットは、皮膚伝導信号の１つまたは複数の１次ピークを含む。
【００６７】
[0080]１次ピークパラメータ計算モジュール６１０は、識別されたピークの第１のセット内の少なくとも１つの１次ピーク用の１つまたは複数のパラメータの第２のセットを計算することができる。いくつかの実施形態では、パラメータのセットは、各１次ピークのエッジごとの湾曲率（たとえば、各１次ピークの立上りエッジごとおよび立下りエッジごとの湾曲率）を含む場合がある。
【００６８】
[0081]しきい値比較モジュール６１５は、湾曲率を含むパラメータの第２のセットの各パラメータを、１つまたは複数のしきい値の第２のセット内の対応するしきい値と比較することができる。
【００６９】
[0082]２次ピーク識別モジュール６２０は、１つまたは複数のパラメータの第２のセットの各パラメータの、１つまたは複数のしきい値の第２のセット内の対応するしきい値との比較に基づいて、少なくとも１つの１次ピークに関連付けられた少なくとも１つの２次ピークを識別することができる。いくつかの実施形態では、２次ピークは、１次ピークのエッジの湾曲のみに基づいて識別される場合がある。加えて、モジュール６２０は、１つまたは複数のパラメータの第２のセット内の符号における変化に基づいて、２次ピークの位置を識別することができる。
【００７０】
[0083]図７は、１次ピークパラメータ計算モジュール６１０−ａの一実施形態を示すブロック図７００である。モジュール６１０−ａは、図６に記載された１次ピークパラメータ計算モジュール６１０の一例であり得る。モジュール６１０−ａは、第２の微分計算モジュール７０５と、湾曲率決定モジュール７１０とを含む場合がある。
【００７１】
[0084]各１次ピークのエッジごとに、第２の微分計算モジュール７０５は、１次ピークのエッジに沿って位置する離散的なサンプルのセットについて第２の微分のセットを計算する。
【００７２】
[0085]第２の微分のセットごとに、湾曲率決定モジュール７１０は、対応するエッジの湾曲率を決定する。これは、最初に第２の微分のセットの範囲を決定すること、次いで範囲の大きさを湾曲率として識別することによって行われる場合がある。
【００７３】
[0086]図８は、皮膚伝導信号処理モジュール２４５−ｄの別の実施形態を示すブロック図８００である。モジュール２４５−ｄは、図２、図３、図４、および／または図６に記載された皮膚伝導信号処理モジュール２４５の一例であり得る。モジュール２４５−ｄは、信号分割モジュール８０５と、エネルギー領域関数計算モジュール８１０と、エネルギー領域信号計算モジュール８１５とを含む場合がある。モジュール２４５−ｄは、皮膚伝導信号を時間領域からエネルギー領域に変換するために使用される場合があり、それにより、時間領域では検出することができない信号の特徴（たとえば、ピーク）の検出が可能になる。検出されたピークは、ユーザの皮膚伝導反応を決定するために分析され得る。
【００７４】
[0087]皮膚伝導信号を処理する既存のシステム、方法、および装置は、皮膚伝導信号内の時間ピークの検出に依存する。これにより、時間領域内で絶対値が小さい場合がある生物物理学的信号の部分または領域の拒絶がもたらされ、エネルギー領域内でも、ピークは、覚醒を示すのに十分なエネルギー（たとえば、十分な瞬間エネルギー）を表す場合がある。エネルギー領域への皮膚伝導信号の変換は、したがって、時間領域内で認識できない覚醒情報の抽出を可能にすることができる。
【００７５】
[0088]信号分割モジュール８０５は、皮膚伝導信号を複数のウィンドウに分割することができる。たとえば、信号分割モジュールは、皮膚伝導信号を離散的なサンプルの順序付けられたシーケンスとして受信することができ、（たとえば、スライドウィンドウ手法を使用して）各ウィンドウが１つまたは複数の離散的なサンプルを含むように、信号を複数のウィンドウに分割することができる。いくつかの実施形態では、皮膚伝導信号の１つまたは複数のサンプルは、第２のウィンドウが第１のウィンドウと重複するように、第１のウィンドウと第２のウィンドウの両方に含まれる場合がある。いくつかの事例では、ウィンドウのすべてが重複する場合がある。
【００７６】
[0089]エネルギー領域関数計算モジュール８１０は、エネルギー領域内のエネルギーの対応する基準値を取得するために、ウィンドウごとに皮膚伝導信号の関数を計算することができる。たとえば、モジュール８１０は、第１のウィンドウ内の皮膚伝導信号用のエネルギーの第１の基準値、第２のウィンドウ内の皮膚伝導信号用のエネルギーの第２の基準値などを計算することができる。いくつかの実施形態では、皮膚伝導信号の関数は、特定のウィンドウおよび皮膚伝導信号によって少なくとも部分的に定義される面積として計算される場合がある。
【００７７】
[0090]エネルギー領域信号計算モジュール８１５は、エネルギー領域内の第２の信号を計算する。第２の信号は、エネルギーの基準値の関数であり、場合によっては、エネルギーの基準値に等しい場合がある。第２の信号は、エネルギー領域内の皮膚伝導信号の１つまたは複数のピークを識別するために、対応するしきい値と比較される場合がある。
【００７８】
[0091]図９は、皮膚伝導信号内のノイズの多い領域を識別するための方法９００の一例を示すフローチャートである。明確にするために、方法９００は、図１、図２、または図３に示されたモバイルデバイス１１５を参照して下記に記載される。一実装形態では、図２、図３、図４、図６、および／または図８に記載された皮膚伝導信号処理モジュール２４５は、下記に記載される機能を実施するために、モバイルデバイス１１５の機能要素を制御するコードの１つまたは複数のセットを実行することができる。
【００７９】
[0092]ブロック９０５で、皮膚伝導信号が複数のウィンドウに分割される。たとえば、信号は、各ウィンドウが複数の離散的なサンプルを含むように、複数のウィンドウに分割された離散的なサンプルの順序付けられたシーケンスであり得る。いくつかの実施形態では、皮膚伝導信号の１つまたは複数のサンプルは、第２のウィンドウが第１のウィンドウと重複するように、第１のウィンドウと第２のウィンドウの両方に含まれる場合がある。いくつかの事例では、ウィンドウのすべてが重複する場合がある。
【００８０】
[0093]ブロック９１０で、第１のウィンドウ内の信号の２つ以上の特徴が計算される。２つ以上の特徴のうちの少なくとも１つは、周波数領域内にある。計算される特徴は、正規化された範囲、正規化された最大値もしくは最小値、平均交差の数、低周波数エネルギーの量（たとえば、信号の平均を下回るエネルギーの量）、または高周波数エネルギーの量（たとえば、信号の平均を上回るエネルギーの量）のうちの２つ以上を含む場合がある。
【００８１】
[0094]ブロック９１５で、少なくとも第１の基準値を取得するために、特徴のうちの少なくとも２つが結合される。たとえば、低周波数エネルギーの量と高周波数エネルギーの量は、ＬＦ／ＨＦ比を形成するために結合される場合がある。ブロック９２０で、第１の基準値が、対応するしきい値と比較され得る。ブロック９２５で、比較に基づいて、第１のウィンドウが皮膚伝導信号のノイズの多い領域として識別され得る。
【００８２】
[0095]このように、方法９００は、モバイルデバイス１１５が皮膚伝導信号内のノイズの多い領域を識別するための改善された方法を提供することができる。方法９００は一実装形態にすぎないこと、および方法９００の動作は、他の実装形態が可能であるように、並べ替えられるかまたは場合によっては修正される場合があることに留意されたい。
【００８３】
[0096]図１０は、皮膚伝導信号内のノイズの多い領域を識別するための方法１０００の別の例を示すフローチャートである。明確にするために、方法１０００は、図１、図２、および／または図３に示されたモバイルデバイス１１５のうちの１つを参照して下記に記載される。一実装形態では、図２、図３、図４、図６、および／または図８に記載された皮膚伝導信号処理モジュール２４５は、下記に記載される機能を実施するために、モバイルデバイス１１５の機能要素を制御するコードの１つまたは複数のセットを実行することができる。
【００８４】
[0097]ブロック１００５で、皮膚伝導信号ｘ（ｎ）が、モバイルデバイスに搭載された皮膚伝導センサから獲得される。次いで、ブロック１０１０で、信号が、複数のＫ個の重複するウィンドウＷ（ｉ）に分割される場合がある。ウィンドウは、スライドウィンドウ手法を使用して生成される場合がある。各ウィンドウは、信号ｘ（ｎ）のＮ（ｉ）個のサンプルを含む場合があり、場合によっては、Ｎ（ｉ）は定数Ｎに等しい場合がある。他の場合には、ウィンドウＷ（ｉ）は、様々な数のサンプルＮ（ｉ）を含む場合がある。
【００８５】
[0098]ブロック１０２０〜１０３５は、変数設定ブロックおよび決定ブロック１０１５、１０４０、および１０４５によって示されたように、ｉ＝１からＫについて、ウィンドウＷ（ｉ）ごとに繰り返され得る。ブロック１０２０で、皮膚伝導信号の特徴が計算される。計算された特徴は、たとえば、ウィンドウＷ（ｉ）内の低周波数エネルギーの量と、ウィンドウＷ（ｉ）内の高周波数エネルギーの量と、ウィンドウＷ（ｉ）内の平均交差の数とを備える場合がある。ブロック１０２５で、ウィンドウＷ（ｉ）用のＬＦ／ＨＦ比を取得するために、低周波数エネルギーの量と高周波数エネルギーの量が結合される。ブロック１０３０で、ウィンドウＷ（ｉ）用の平均交差の数およびＬＦ／ＨＦ比が、対応するしきい値と比較される。ブロック１０３５で、ウィンドウ用のＬＦ／ＨＦ比および平均交差の数が両方とも対応するしきい値を越えたとき、ウィンドウＷ（ｉ）が皮膚伝導信号のノイズの多い領域として識別される。
【００８６】
[0099]ブロック１０５０で、皮膚伝導信号からの皮膚伝導反応（ＳＣＲ）を検出する間、識別されたノイズの多い領域が無視される。
【００８７】
[0100]このように、方法１０００は、モバイルデバイス１１５が皮膚伝導信号内のノイズの多い領域を識別するための改善された方法を提供することができる。方法１０００は一実装形態にすぎないこと、および方法１０００の動作は、他の実装形態が可能であるように、並べ替えられるかまたは場合によっては修正される場合があることに留意されたい。
【００８８】
[0101]図１１は、皮膚伝導信号のピークを検出するための方法１１００の一例を示すフローチャートである。明確にするために、方法１１００は、図１、図２、または図３に示されたモバイルデバイス１１５を参照して下記に記載される。一実装形態では、図２、図３、図４、図６、および／または図８に記載された皮膚伝導信号処理モジュール２４５は、下記に記載される機能を実施するために、モバイルデバイス１１５の機能要素を制御するコードの１つまたは複数のセットを実行することができる。
【００８９】
[0102]ブロック１１０５で、皮膚伝導信号の１つまたは複数のパラメータの第１のセットを識別すること、および１つまたは複数のパラメータの第１のセットの各パラメータを１つまたは複数のしきい値の第１のセット内の対応するしきい値と比較することによって、ピークの第１のセットが識別される。ピークの第１のセットは、皮膚伝導信号の１つまたは複数の１次ピークを含む。
【００９０】
[0103]ブロック１１１０で、ピークの第１のセット内の少なくとも１つの１次ピークの１つまたは複数のパラメータの第２のセットが計算される。ブロック１１１５で、１つまたは複数のパラメータの第２のセットの各パラメータが、１つまたは複数のしきい値の第２のセット内の対応するしきい値と比較される。ブロック１１２０で、少なくとも１つの１次ピークに関連付けられた少なくとも１つの２次ピークが識別される。少なくとも１つの２次ピークは、１つまたは複数のパラメータの第２のセットの各パラメータの、１つまたは複数のしきい値の第２のセット内の対応するしきい値との比較に基づいて識別される。
【００９１】
[0104]このように、方法１１００は、モバイルデバイス１１５が皮膚伝導信号のピークを識別するための改善された方法を提供することができる。方法１１００は一実装形態にすぎないこと、および方法１１００の動作は、他の実装形態が可能であるように、並べ替えられるかまたは場合によっては修正される場合があることに留意されたい。
【００９２】
[0105]図１２は、皮膚伝導信号のピークを検出するための方法１２００の別の例を示すフローチャートである。明確にするために、方法１２００は、図１、図２、および／または図３に示されたモバイルデバイス１１５のうちの１つを参照して下記に記載される。一実装形態では、図２、図３、図４、図６、および／または図８に示された皮膚伝導信号処理モジュール２４５は、下記に記載される機能を実施するために、モバイルデバイス１１５の機能要素を制御するコードの１つまたは複数のセットを実行することができる。
【００９３】
[0106]ブロック１２０５で、皮膚伝導信号ｘ（ｎ）が、モバイルデバイス１１５に搭載された皮膚伝導センサから獲得される。ブロック１２１０で、皮膚伝導信号の１つまたは複数のパラメータの第１のセットを識別すること、および１つまたは複数のパラメータの第１のセットの各パラメータを１つまたは複数のしきい値の第１のセット内の対応するしきい値と比較することによって、ピークの第１のセットが識別される。ピークの第１のセットは、皮膚伝導信号の１つまたは複数の１次ピークＰ（ｉ）を含む。
【００９４】
[0107]ブロック１２２０〜１２４０は、変数設定ブロックおよび決定ブロック１２１５、１２４５、１２５０、１２５５、１２６０、および１２６５によって示されたように、ｉ＝１からＫについて、１次ピークＰ（ｉ）ごと、および各１次ピークのエッジｊごとに繰り返され得る。ブロック１２２０で、ピークＰ（ｉ）のエッジｊに沿って位置する信号の離散的なサンプルについて、第２の微分のセットが計算される。ブロック１２２５で、第２の微分のセットからＰ（ｉ）のエッジｊについての湾曲が決定される。湾曲率は、場合によっては、最初に第２の微分のセットの範囲を決定すること、次いで範囲の大きさを湾曲率として識別することによって決定される場合がある。ブロック１２３０で、Ｐ（ｉ）のエッジｊの湾曲率が湾曲のしきい値と比較され、ブロック１２３５で、湾曲率が湾曲のしきい値を越えたとき、Ｐ（ｉ）のエッジｊに関連付けられた２次ピークが識別される。ブロック１２４０で、第２の微分のセット内の符号における変化に基づいて、２次ピークの位置が識別され得る。
【００９５】
[0108]このように、方法１２００は、モバイルデバイス１１５が皮膚伝導信号のピークを識別するための改善された方法を提供することができる。方法１２００は一実装形態にすぎないこと、および方法１２００の動作は、他の実装形態が可能であるように、並べ替えられるかまたは場合によっては修正される場合があることに留意されたい。
【００９６】
[0109]図１３は、皮膚伝導信号を時間領域からエネルギー領域に変換するための方法１３００の一例を示すフローチャートである。明確にするために、方法１３００は、図１、図２、または図３に示されたモバイルデバイス１１５を参照して下記に記載される。一実装形態では、図２、図３、図４、図６、および／または図８に記載された皮膚伝導信号処理モジュール２４５は、下記に記載される機能を実施するために、モバイルデバイス１１５の機能要素を制御するコードの１つまたは複数のセットを実行することができる。
【００９７】
[0110]ブロック１３０５で、皮膚伝導信号が複数のウィンドウに分割される。たとえば、信号は、各ウィンドウが複数の離散的なサンプルを含むように、複数のウィンドウに分割された離散的なサンプルの順序付けられたシーケンスであり得る。いくつかの実施形態では、皮膚伝導信号の１つまたは複数のサンプルは、第２のウィンドウが第１のウィンドウと重複するように、第１のウィンドウと第２のウィンドウの両方に含まれる場合がある。いくつかの事例では、ウィンドウのすべてが重複する場合がある。
【００９８】
[0111]ブロック１３１０で、エネルギー領域内でエネルギーの第１の基準値を取得するために、皮膚伝導信号の関数が第１のウィンドウ内で計算され得る。いくつかの実施形態では、関数は、第１のウィンドウおよび皮膚伝導信号によって少なくとも部分的に定義される面積であり得る。ブロック１３１５で、第２の信号がエネルギー領域内で計算され得る。第２の信号は、エネルギーの基準値の関数である。
【００９９】
[0112]このように、方法１３００は、エネルギー領域などの代替の領域内で、モバイルデバイス１１５が皮膚伝導信号の特徴を検出するための改善された方法を提供することができる。そのような方法１３００により、時間領域内では識別できない特徴の識別が可能になる。方法１３００は一実装形態にすぎないこと、および方法１３００の動作は、他の実装形態が可能であるように、並べ替えられるかまたは場合によっては修正される場合があることに留意されたい。
【０１００】
[0113]図１４は、皮膚伝導信号を時間領域からエネルギー領域に変換するための方法１４００の一例を示すフローチャートである。明確にするために、方法１４００は、図１、図２、または図３に示されたモバイルデバイス１１５を参照して下記に記載される。一実装形態では、図２、図３、図４、図６、および／または図８に記載された皮膚伝導信号処理モジュール２４５は、下記に記載される機能を実施するために、モバイルデバイス１１５の機能要素を制御するコードの１つまたは複数のセットを実行することができる。
【０１０１】
[0114]ブロック１４０５で、皮膚伝導信号ｘ（ｎ）が、モバイルデバイスに搭載された皮膚伝導センサから獲得され得る。次いで、ブロック１４１０で、信号が、複数のＫ個の重複するウィンドウＷ（ｉ）に分割され得る。ウィンドウは、スライドウィンドウ手法を使用して生成される場合がある。各ウィンドウは、信号ｘ（ｎ）のＮ（ｉ）個のサンプルを含む場合があり、場合によっては、Ｎ（ｉ）は定数Ｎに等しい場合がある。他の場合には、ウィンドウＷ（ｉ）は、様々な数のサンプルＮ（ｉ）を含む場合がある。
【０１０２】
[0115]ブロック１４２０での動作は、変数設定ブロックおよび決定ブロック１４１５、１４２５、および１４３０によって示されたように、ｉ＝１からＫについて、ウィンドウＷ（ｉ）ごとに繰り返される。ブロック１４２０で、ウィンドウＷ（ｉ）ごとに面積Ａ（ｉ）が計算される。面積Ａ（ｉ）は、ウィンドウＷ（ｉ）および皮膚伝導信号によって少なくとも部分的に定義される。面積Ａ（ｉ）は、エネルギー領域内のエネルギーの基準値を提供する。場合によっては、各ウィンドウＷ（ｉ）に含まれるサンプル（たとえば、ウィンドウＷ（ｉ）の幅）の数を調整し、エネルギー基準値Ａ（ｉ）内の変形を平滑化する目的で、信号ｘ（ｎ）にローパスフィルタが適用される場合がある。このようにして、第１のウィンドウ用の基準値Ａ（ｉ）と第２のウィンドウ用の基準値Ａ（ｉ）との間の変化を軽減するために、第２のウィンドウの幅が調整される場合がある。
【０１０３】
[0116]ブロック１４３５で、第２の信号ｙ（ｉ）がエネルギー領域内で計算される。第２の信号は、計算された面積Ａ（ｉ）の関数であり、いくつかの実施形態では、Ａ（ｉ）に等しい場合がある。ブロック１４４０で、信号ｙ（ｉ）が対応するしきい値と比較され得るし、エネルギー領域内の皮膚伝導信号のピーク（または複数のピーク）は、比較に基づいて識別される場合がある。識別されたピークは、ユーザの覚醒に関する情報を提供することができる。
【０１０４】
[0117]このように、方法１４００は、エネルギー領域などの代替の領域内で、モバイルデバイス１１５が皮膚伝導信号の特徴を検出するための改善された方法を提供することができる。そのような方法１４００により、時間領域内では識別できない場合がある特徴の識別が可能になる。方法１４００は一実装形態にすぎないこと、および方法１４００の動作は、他の実装形態が可能であるように、並べ替えられるかまたは場合によっては修正される場合があることに留意されたい。
【０１０５】
[0118]添付の図面に関して上記に記載された発明を実施するための形態は、例示的な実施形態を記載しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利である」ことを意味しない。発明を実施するための形態は、記載された技法の理解を与えるための具体的な詳細を含む。しかしながら、これらの技法は、これらの具体的な詳細なしに実践され得る。場合によっては、記載された実施形態の概念を不明瞭にしないために、よく知られている構造およびデバイスがブロック図の形態で示される。
【０１０６】
[0119]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１０７】
[0120]本明細書の開示に関して記載された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書に記載された機能を実施するように設計されたそれらの任意の組合せを用いて、実装または実施される場合がある。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装される場合もある。
【０１０８】
[0121]本明細書に記載された機能は、ハードウェア、プロセッサによって実行されるソフトウェア、ファームウェア、またはそれらの任意の組合せに実装される場合がある。プロセッサによって実行されるソフトウェアに実装される場合、機能は、１つまたは複数の命令またはコードとしてコンピュータ可読媒体上に記憶されるか、またはコンピュータ可読媒体を介して送信される場合がある。他の例および実装形態は、本開示および添付の特許請求の範囲内および趣旨内にある。たとえば、ソフトウェアの性質により、上述された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が様々な物理的位置に実装されるように分散されることを含めて、様々な位置に物理的に配置される場合がある。また、特許請求の範囲を含めて、本明細書で使用される場合、「のうちの少なくとも１つ」で終わる項目のリスト内で使用される「または」は、たとえば、「Ａ、Ｂ、またはＣのうちの少なくとも１つ」のリストが、ＡまたはＢまたはＣまたはＡＢまたはＡＣまたはＢＣまたはＡＢＣ（すなわち、ＡおよびＢおよびＣ）を意味するように、選言的なリストを示す。
【０１０９】
[0122]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得るし、汎用もしくは専用のコンピュータ、または汎用もしくは専用のプロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）には、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）が含まれ、ディスク（disk）は、通常、データを磁気的に再生し、一方、ディスク（disc）は、データをレーザーで光学的に再生する。上記の組合せも、コンピュータ可読媒体の範囲内に含まれる。
【０１１０】
［0123]本開示のこれまでの説明は、当業者が本開示を作成または使用することができるように提供される。本開示への様々な修正は当業者には容易に明らかであり、本明細書で定義された一般原理は、本開示の趣旨または範囲から逸脱することなく、他の変形形態に適用される場合がある。本開示全体にわたって、「例」または「例示的」という用語は、一例または一事例を示すものであり、言及された例についてのいかなる選好も暗示せず、または必要としない。したがって、本開示は、本明細書に記載された例および設計に限定されるべきではなく、本明細書で開示された原理および新規の特徴に合致する最も広い範囲を与えられるべきである。
以下に、本願出願の当初の特許請求の範囲に記載された発明を付記する。
［Ｃ１］皮膚伝導信号内のノイズの多い領域を識別する方法であって、
前記信号を複数のウィンドウに分割することと、
第１のウィンドウ内の前記信号の２つ以上の特徴を計算することと、前記２つ以上の特徴のうちの少なくとも１つは周波数領域内にある、
少なくとも第１の基準値を取得するために、前記特徴のうちの少なくとも２つを結合することと、
前記第１の基準値を対応するしきい値と比較することと、
前記比較に少なくとも部分的に基づいて、前記皮膚伝導信号のノイズの多い領域として前記第１のウィンドウを識別することと
を備える、方法。
［Ｃ２］前記皮膚伝導信号の前記２つ以上の特徴が、正規化された範囲、正規化された最大値もしくは最小値、平均交差の数、低周波数エネルギーの量、または高周波数エネルギーの量のうちの少なくとも２つを備える、［Ｃ１］に記載の方法。
［Ｃ３］前記皮膚伝導信号から皮膚伝導反応（ＳＣＲ）を検出することと、
前記ＳＣＲを検出する間、前記皮膚伝導信号の前記識別されたノイズの多い領域を無視することと
をさらに備える、［Ｃ１］に記載の方法。
［Ｃ４］各ウィンドウが前記皮膚伝導信号の複数の離散的なサンプルを備える、［Ｃ１］に記載の方法。
［Ｃ５］前記皮膚伝導信号の前記複数のサンプルのうちの少なくとも１つが、第２のウィンドウが前記第１のウィンドウと重複するように、前記第１のウィンドウと前記第２のウィンドウの両方に含まれる、［Ｃ４］に記載の方法。
［Ｃ６］前記２つ以上の特徴のうちの少なくとも１つが時間領域内にある、［Ｃ１］に記載の方法。
［Ｃ７］少なくとも第１の基準値を取得するために前記特徴のうちの少なくとも２つを結合することが、
前記周波数領域内の第１の特徴を前記周波数領域内の第２の特徴と結合すること
を備える、［Ｃ１］に記載の方法。
［Ｃ８］前記第１のウィンドウ内の前記信号の２つ以上の特徴を計算することが、
前記第１のウィンドウ内の低周波数エネルギーの量と高周波数エネルギーの量とを計算すること
を備え、
少なくとも前記第１の基準値を取得するために前記特徴のうちの前記少なくとも２つを結合することが、前記高周波数エネルギーの量に対する前記低周波数エネルギーの量の比を形成することを備える、
［Ｃ１］に記載の方法。
［Ｃ９］トレーニングデータから前記第１の基準値用の前記対応するしきい値を識別すること
をさらに備える、［Ｃ１］に記載の方法。
［Ｃ１０］前記トレーニングデータが前記皮膚伝導信号から取得される、［Ｃ９］に記載の方法。
［Ｃ１１］前記特徴のうちの少なくとも１つの値を対応する少なくとも１つの追加のしきい値と比較することと、
前記比較の組合せに基づいて、前記皮膚伝導信号のノイズの多い領域として前記第１のウィンドウを識別することと
をさらに備える、［Ｃ１］に記載の方法。
［Ｃ１２］前記特徴のうちの少なくとも１つの値を対応する少なくとも１つの追加のしきい値と比較することが、
信号の平均交差の数を対応する平均交差のしきい値と比較することと、
前記比較の組合せに基づいて、前記皮膚伝導信号のノイズの多い領域として前記第１のウィンドウを識別することと
を備える、［Ｃ１１］に記載の方法。
［Ｃ１３］前記第１のウィンドウ内の前記信号の２つ以上の特徴を計算することが、
前記第１のウィンドウ内の低周波数エネルギーの量と高周波数エネルギーの量とを計算することと、
前記高周波数エネルギーの量に対する前記低周波数エネルギーの量の比を形成することと
を備える、［Ｃ１］に記載の方法。
［Ｃ１４］モバイルデバイスに搭載された皮膚伝導センサから前記皮膚伝導信号を獲得すること
をさらに備える、［Ｃ１］に記載の方法。
［Ｃ１５］皮膚伝導信号内のノイズの多い領域を識別するためのモバイルデバイスであって、
プロセッサと、
前記プロセッサと電子通信しているメモリと、
前記メモリに記憶された命令とを備え、前記命令が、
前記信号を複数のウィンドウに分割することと、
第１のウィンドウ内の前記信号の２つ以上の特徴を計算することと、前記２つ以上の特徴のうちの少なくとも１つは周波数領域内にある、
少なくとも第１の基準値を取得するために、少なくとも２つまたは前記特徴を結合することと、
前記第１の基準値を対応するしきい値と比較することと、
前記比較に少なくとも部分的に基づいて、前記皮膚伝導信号のノイズの多い領域として前記第１のウィンドウを識別することと
を行うように、前記プロセッサによって実行可能である、
モバイルデバイス。
［Ｃ１６］前記皮膚伝導信号の前記２つ以上の特徴が、正規化された範囲、正規化された最大値もしくは最小値、平均交差の数、低周波数エネルギーの量、または高周波数エネルギーの量のうちの少なくとも２つを備える、［Ｃ１５］に記載のモバイルデバイス。
［Ｃ１７］前記第１のウィンドウ内の前記信号の２つ以上の特徴を計算する前記命令が、
前記第１のウィンドウ内の低周波数エネルギーの量と高周波数エネルギーの量とを計算することと、
前記高周波数エネルギーの量に対する前記低周波数エネルギーの量の比を形成することと
を行うように、前記プロセッサによってさらに実行可能である、［Ｃ１５］に記載のモバイルデバイス。
［Ｃ１８］前記命令が、
１つまたは複数の皮膚伝導センサから前記皮膚伝導信号を獲得すること
を行うように、前記プロセッサによってさらに実行可能である、［Ｃ１５］に記載のモバイルデバイス。
［Ｃ１９］皮膚伝導信号内のノイズの多い領域を識別するための装置であって、
前記信号を複数のウィンドウに分割するための手段と、
第１のウィンドウ内の前記信号の２つ以上の特徴を計算するための手段と、前記２つ以上の特徴のうちの少なくとも１つは周波数領域内にある、
少なくとも第１の基準値を取得するために、前記特徴のうちの少なくとも２つを結合するための手段と、
前記第１の基準値を対応するしきい値と比較するための手段と、
前記比較に少なくとも部分的に基づいて、前記皮膚伝導信号のノイズの多い領域として前記第１のウィンドウを識別するための手段と
を備える、装置。
［Ｃ２０］前記皮膚伝導信号の前記２つ以上の特徴が、正規化された範囲、正規化された最大値もしくは最小値、平均交差の数、低周波数エネルギーの量、または高周波数エネルギーの量のうちの少なくとも２つを備える、［Ｃ１９］に記載の装置。
［Ｃ２１］前記第１のウィンドウ内の前記信号の２つ以上の特徴を計算するための前記手段が、
前記第１のウィンドウ内の低周波数エネルギーの量と高周波数エネルギーの量とを計算するための手段
を備える、［Ｃ１９］に記載の装置。
［Ｃ２２］少なくとも前記第１の基準値を取得するために前記特徴のうちの少なくとも２つを結合するための前記手段が、
前記高周波数エネルギーの量に対する前記低周波数エネルギーの量の比を形成するための手段
を備える、［Ｃ２１］に記載の装置。
［Ｃ２３］前記モバイルデバイスに搭載された皮膚伝導センサから前記皮膚伝導信号を獲得するための手段
をさらに備える、［Ｃ１９］に記載の装置。
［Ｃ２４］皮膚伝導信号内のノイズの多い領域を識別するためのコンピュータプログラム製品であって、
前記信号を複数のウィンドウに分割することと、
第１のウィンドウ内の前記信号の２つ以上の特徴を計算することと、前記２つ以上の特徴のうちの少なくとも１つは周波数領域内にある、
少なくとも第１の基準値を取得するために、前記特徴のうちの少なくとも２つを結合することと、
前記第１の基準値を対応するしきい値と比較することと、
前記比較に少なくとも部分的に基づいて、前記皮膚伝導信号のノイズの多い領域として前記第１のウィンドウを識別することと
を行うように、プロセッサによって実行可能な命令を記憶する非一時的コンピュータ可読媒体を備える、コンピュータプログラム製品。
［Ｃ２５］前記皮膚伝導信号の前記２つ以上の特徴が、正規化された範囲、正規化された最大値もしくは最小値、平均交差の数、低周波数エネルギーの量、または高周波数エネルギーの量のうちの少なくとも２つを備える、［Ｃ２４］に記載のコンピュータプログラム製品。
［Ｃ２６］前記第１のウィンドウ内の前記信号の２つ以上の特徴を計算する前記命令が、
前記第１のウィンドウ内の低周波数エネルギーの量と高周波数エネルギーの量とを計算すること
を行うように、前記プロセッサによってさらに実行可能である、［Ｃ２４］に記載のコンピュータプログラム。
［Ｃ２７］少なくとも第１の基準値を取得するために、前記特徴のうちの少なくとも２つを結合する前記命令が、
前記高周波数エネルギーの量に対する前記低周波数エネルギーの量の比を形成すること
を行うように、前記プロセッサによってさらに実行可能である、［Ｃ２６］に記載のコンピュータプログラム。
［Ｃ２８］皮膚伝導信号のピークを検出する方法であって、
前記皮膚伝導信号の１つまたは複数のパラメータの第１のセットを識別することによって、ピークの第１のセットを識別することと、前記ピークの第１のセットは前記皮膚伝導信号の１つまたは複数の１次ピークを備える、
１つまたは複数のパラメータの前記第１のセットの各パラメータを、１つまたは複数のしきい値の第１のセット内の対応するしきい値と比較することと、
前記ピークの第１のセット内で少なくとも１つの１次ピークの１つまたは複数のパラメータの第２のセットを計算することと、
１つまたは複数のパラメータの前記第２のセットの各パラメータを、１つまたは複数のしきい値の第２のセット内の対応するしきい値と比較することと、
１つまたは複数のパラメータの前記第２のセットの各パラメータの、１つまたは複数のしきい値の前記第２のセット内の対応するしきい値との前記比較に少なくとも部分的に基づいて、前記少なくとも１つの１次ピークに関連付けられた少なくとも１つの２次ピークを識別することと
を備える、方法。
［Ｃ２９］前記皮膚伝導信号が複数の離散的なサンプルを備える、［Ｃ２８］に記載の方法。
［Ｃ３０］１つまたは複数のパラメータの前記第２のセットを計算することが、
第１の１次ピークの第１のエッジに沿って位置する離散的なサンプルのセットについて第２の微分のセットを計算することと、
前記第２の微分のセットから前記第１のエッジの湾曲率を決定することと
を備える、［Ｃ２９］に記載の方法。
［Ｃ３１］前記第１のエッジの前記湾曲率を決定することが、
前記第２の微分のセットの範囲を決定することと、
前記湾曲率として前記範囲の大きさを識別することと
を備える、［Ｃ３０］に記載の方法。
［Ｃ３２］１つまたは複数のパラメータの前記第２のセットの各パラメータを、１つまたは複数のしきい値の第２のセット内の対応するしきい値と比較することが、
前記第１のエッジの前記湾曲率を湾曲のしきい値と比較すること
を備える、［Ｃ３０］に記載の方法。
［Ｃ３３］前記第２の微分のセット内の符号における変化に基づいて、前記第１の１次ピークに関連付けられた２次ピークの位置を識別すること
をさらに備える、［Ｃ３０］に記載の方法。
［Ｃ３４］前記皮膚伝導信号の１つまたは複数のパラメータの前記第１のセットが、勾配、立上り時間、または振幅のうちの少なくとも１つを備える、［Ｃ２８］に記載の方法。
［Ｃ３５］モバイルデバイスに搭載された皮膚伝導センサから前記皮膚伝導信号を獲得すること
をさらに備える、［Ｃ２８］に記載の方法。
［Ｃ３６］皮膚伝導信号のピークを検出するためのモバイルデバイスであって、
プロセッサと、
前記プロセッサと電子通信しているメモリと、
前記メモリに記憶された命令とを備え、前記命令が、
前記皮膚伝導信号の１つまたは複数のパラメータの第１のセットを識別することによって、ピークの第１のセットを識別することと、前記ピークの第１のセットは前記皮膚伝導信号の１つまたは複数の１次ピークを備える、
１つまたは複数のパラメータの前記第１のセットの各パラメータを、１つまたは複数のしきい値の第１のセット内の対応するしきい値と比較することと、
前記ピークの第１のセット内で少なくとも１つの１次ピークの１つまたは複数のパラメータの第２のセットを計算することと、
１つまたは複数のパラメータの前記第２のセットの各パラメータを、１つまたは複数のしきい値の第２のセット内の対応するしきい値と比較することと、
１つまたは複数のパラメータの前記第２のセットの各パラメータの、１つまたは複数のしきい値の前記第２のセット内の対応するしきい値との前記比較に少なくとも部分的に基づいて、前記少なくとも１つの１次ピークに関連付けられた少なくとも１つの２次ピークを識別することと
を行うように、前記プロセッサによって実行可能である、
モバイルデバイス。
［Ｃ３７］前記皮膚伝導信号が複数の離散的なサンプルを備える、［Ｃ３６］に記載のモバイルデバイス。
［Ｃ３８］１つまたは複数のパラメータの前記第２のセットを計算する前記命令が、
第１の１次ピークの第１のエッジに沿って位置する離散的なサンプルのセットについて第２の微分のセットを計算することと、
前記第２の微分のセットから前記第１のエッジの湾曲率を決定することと
を行うように、前記プロセッサによってさらに実行可能である、［Ｃ３７］に記載のモバイルデバイス。
［Ｃ３９］前記第１のエッジの前記湾曲率を決定する前記命令が、
前記第２の微分のセットの範囲を決定することと、
前記湾曲率として前記範囲の大きさを識別することと
を行うように、前記プロセッサによってさらに実行可能である、［Ｃ３８］に記載のモバイルデバイス。
［Ｃ４０］前記命令が、
前記第２の微分のセット内の符号における変化に基づいて、前記第１の１次ピークに関連付けられた２次ピークの位置を識別すること
を行うように、前記プロセッサによってさらに実行可能である、［Ｃ３６］に記載のモバイルデバイス。
［Ｃ４１］皮膚伝導信号のピークを検出するための装置であって、
前記皮膚伝導信号の１つまたは複数のパラメータの第１のセットを識別することによって、ピークの第１のセットを識別するための手段と、前記ピークの第１のセットは前記皮膚伝導信号の１つまたは複数の１次ピークを備える、
１つまたは複数のパラメータの前記第１のセットの各パラメータを、１つまたは複数のしきい値の第１のセット内の対応するしきい値と比較するための手段と、
前記ピークの第１のセット内で少なくとも１つの１次ピークの１つまたは複数のパラメータの第２のセットを計算するための手段と、
１つまたは複数のパラメータの前記第２のセットの各パラメータを、１つまたは複数のしきい値の第２のセット内の対応するしきい値と比較するための手段と、
１つまたは複数のパラメータの前記第２のセットの各パラメータの、１つまたは複数のしきい値の前記第２のセット内の対応するしきい値との前記比較に少なくとも部分的に基づいて、前記少なくとも１つの１次ピークに関連付けられた少なくとも１つの２次ピークを識別するための手段と
を備える、装置。
［Ｃ４２］前記皮膚伝導信号が複数の離散的なサンプルを備える、［Ｃ４１］に記載の装置。
［Ｃ４３］１つまたは複数のパラメータの前記第２のセットを計算するための前記手段が、
第１の１次ピークの第１のエッジに沿って位置する離散的なサンプルのセットについて第２の微分のセットを計算するための手段と、
前記第２の微分のセットから前記第１のエッジの湾曲率を決定するための手段と
を備える、［Ｃ４２］に記載の装置。
［Ｃ４４］前記第１のエッジの前記湾曲率を決定するための前記手段が、
前記第２の微分のセットの範囲を決定するための手段と、
前記湾曲率として前記範囲の大きさを識別するための手段と
を備える、［Ｃ４３］に記載の装置。
［Ｃ４５］前記第２の微分のセット内の符号における変化に基づいて、前記第１の１次ピークに関連付けられた２次ピークの位置を識別するための手段
をさらに備える、［Ｃ４１］に記載の装置。
［Ｃ４６］皮膚伝導信号のピークを検出するためのコンピュータプログラム製品であって、
前記皮膚伝導信号の１つまたは複数のパラメータの第１のセットを識別することによって、ピークの第１のセットを識別することと、前記ピークの第１のセットは前記皮膚伝導信号の１つまたは複数の１次ピークを備える、
１つまたは複数のパラメータの前記第１のセットの各パラメータを、１つまたは複数のしきい値の第１のセット内の対応するしきい値と比較することと、
前記ピークの第１のセット内で少なくとも１つの１次ピークの１つまたは複数のパラメータの第２のセットを計算することと、
１つまたは複数のパラメータの前記第２のセットの各パラメータを、１つまたは複数のしきい値の第２のセット内の対応するしきい値と比較することと、
１つまたは複数のパラメータの前記第２のセットの各パラメータの、１つまたは複数のしきい値の第２のセット内の対応するしきい値との前記比較に少なくとも部分的に基づいて、前記少なくとも１つの１次ピークに関連付けられた少なくとも１つの２次ピークを識別することと
を行うように、プロセッサによって実行可能な命令を記憶する非一時的コンピュータ可読媒体を備える、コンピュータプログラム製品。
［Ｃ４７］前記皮膚伝導信号が複数の離散的なサンプルを備える、［Ｃ４６］に記載のコンピュータプログラム製品。
［Ｃ４８］１つまたは複数のパラメータの前記第２のセットを計算する前記命令が、
第１の１次ピークの第１のエッジに沿って位置する離散的なサンプルのセットについて第２の微分のセットを計算することと、
前記第２の微分のセットから前記第１のエッジの湾曲率を決定することと
を行うように、前記プロセッサによってさらに実行可能である、［Ｃ４７］に記載のコンピュータプログラム製品。
［Ｃ４９］前記第１のエッジの前記湾曲率を決定する前記命令が、
前記第２の微分のセットの範囲を決定することと、
前記湾曲率として前記範囲の大きさを識別することと
を行うように、さらに実行可能である、［Ｃ４８］に記載のコンピュータプログラム製品。
［Ｃ５０］前記命令が、
前記第２の微分のセット内の符号における変化に基づいて、前記第１の１次ピークに関連付けられた２次ピークの位置を識別すること
を行うように、前記プロセッサによってさらに実行可能である、［Ｃ４６］に記載のコンピュータプログラム製品。
［Ｃ５１］皮膚伝導信号を時間領域からエネルギー領域に変換する方法であって、
前記時間領域内の前記皮膚伝導信号を複数のウィンドウに分割することと、
前記エネルギー領域内でエネルギーの第１の基準値を取得するために、第１のウィンドウ内の前記皮膚伝導信号の関数を計算することと、
前記エネルギー領域内で第２の信号を計算することと、前記第２の信号はエネルギーの前記基準値の関数である、
を備える、方法。
［Ｃ５２］各ウィンドウが前記皮膚伝導信号の複数の離散的なサンプルを備える、［Ｃ５１］に記載の方法。
［Ｃ５３］前記皮膚伝導信号の前記複数の離散的なサンプルのうちの少なくとも１つが、前記複数のウィンドウのうちの重複するウィンドウに含まれる、［Ｃ５２］に記載の方法。
［Ｃ５４］前記エネルギー領域内でエネルギーの第１の基準値を取得するために、前記第１のウィンドウ内の前記皮膚伝導信号の前記関数を計算することが、
前記第１のウィンドウおよび前記皮膚伝導信号によって少なくとも部分的に定義される面積を計算すること
を備える、［Ｃ５１］に記載の方法。
［Ｃ５５］前記第２の信号を対応するしきい値と比較することと、
前記比較に基づいて、前記エネルギー領域内で前記皮膚伝導信号のピークを識別することと
をさらに備える、［Ｃ５４］に記載の方法。
［Ｃ５６］前記エネルギー領域内でエネルギーの第２の基準値を取得するために、第２のウィンドウ内の前記皮膚伝導信号の前記関数を計算すること
をさらに備える、［Ｃ５１］に記載の方法。
［Ｃ５７］前記時間領域内の前記皮膚伝導信号を複数のウィンドウに分割することが、
エネルギーの前記第１の基準値とエネルギーの前記第２の基準値との間の変化を軽減するために、前記第２のウィンドウの幅を調整すること
を備える、［Ｃ５６］に記載の方法。
［Ｃ５８］モバイルデバイスに搭載された皮膚伝導センサから前記皮膚伝導信号を獲得すること
をさらに備える、［Ｃ５１］に記載の方法。
［Ｃ５９］皮膚伝導信号を時間領域からエネルギー領域に変換するためのモバイルデバイスであって、
プロセッサと、
前記プロセッサと電子通信しているメモリと、
前記メモリに記憶された命令とを備え、前記命令が、
前記時間領域内の前記皮膚伝導信号を複数のウィンドウに分割することと、
前記エネルギー領域内でエネルギーの第１の基準値を取得するために、第１のウィンドウ内の前記皮膚伝導信号の関数を計算することと、
前記エネルギー領域内で第２の信号を計算することと、前記第２の信号はエネルギーの前記基準値の関数である、
を行うように、前記プロセッサによって実行可能である、
モバイルデバイス。
［Ｃ６０］皮膚伝導信号を時間領域からエネルギー領域に変換するための装置であって、
前記時間領域内の前記皮膚伝導信号を複数のウィンドウに分割するための手段と、
前記エネルギー領域内でエネルギーの第１の基準値を取得するために、第１のウィンドウ内の前記皮膚伝導信号の関数を計算するための手段と、
前記エネルギー領域内で第２の信号を計算するための手段と、前記第２の信号はエネルギーの前記基準値の関数である、
を備える、装置。
［Ｃ６１］皮膚伝導信号を時間領域からエネルギー領域に変換するためのコンピュータプログラム製品であって、
前記時間領域内の前記皮膚伝導信号を複数のウィンドウに分割することと、
前記エネルギー領域内でエネルギーの第１の基準値を取得するために、第１のウィンドウ内の前記皮膚伝導信号の関数を計算することと、
前記エネルギー領域内で第２の信号を計算することと、前記第２の信号はエネルギーの前記基準値の関数である、
を行うように、プロセッサによって実行可能な命令を記憶する非一時的コンピュータ可読媒体を備える、コンピュータプログラム製品。
【図１】
0006290256.tif 000002
【図２】
0006290256.tif 000003
【図３】
0006290256.tif 000004
【図４】
0006290256.tif 000005
【図５】
0006290256.tif 000006
【図６】
0006290256.tif 000007
【図７】
0006290256.tif 000008
【図８】
0006290256.tif 000009
【図９】
0006290256.tif 000010
【図１０】
0006290256.tif 000011
【図１１】
0006290256.tif 000012
【図１２】
0006290256.tif 000013
【図１３】
0006290256.tif 000014
【図１４】
0006290256.tif 000015